(57)【要約】【課題】施設の設置に必要な用地確保及び維持のためのコストを低減するとともに、コンクリートを用いずに施設の施工および撤去を容易にできるようにする。【解決手段】風況観測装置は、高所に設置した風況観測用の機器により風況を観測する風況観測装置であって、地面の打設位置から地中にねじ込まれる回転杭と、前記回転杭の中心軸と同心の第１中心を有し、前記第１中心から等距離の位置にボルト締結用の丸孔が形成され、上部に複数の鋼材を連結して塔を組み上げるための第１プレートと、前記回転杭の上端に、前記第１プレートに対向するように設けられ、前記第１中心と同心の第２中心を有し、前記第１中心から前記丸孔までの距離とほぼ等しい前記第２中心からの距離に長孔が前記丸孔よりも広くかつ前記回転杭の回転方向に長く形成された第２プレートとを備える。【選択図】図１
2018111957.tif 000002
【特許請求の範囲】
【請求項１】
風況観測用の機器を高所に設置して風況を観測する風況観測装置であって、
地面の打設位置から地中にねじ込まれる回転杭と、
前記回転杭の中心軸と同心の第１中心を有し、前記第１中心から等距離の位置にボルト締結用の丸孔が形成され、上部に複数の鋼材を連結して塔を組み上げるための第１プレートと、
前記回転杭の上端に、前記第１プレートに対向するように設けられ、前記第１中心と同心の第２中心を有し、前記第１中心から前記丸孔までの距離とほぼ等しい前記第２中心からの距離に長孔が前記丸孔よりも広くかつ前記回転杭の回転方向に長く形成された第２プレートと
を具備することを特徴とする風況観測装置。
【請求項２】
前記長孔の短手方向の幅が、前記丸孔の直径よりも広く形成されている請求項１記載の風況観測装置。
【請求項３】
前記第１プレートと前記第２プレートとの間に介挿され、前記第１プレートの前記第１中心に対応する位置に第１基準孔が形成され、前記丸孔に対応する位置に第２基準孔が形成されたゲージプレートを具備する請求項１記載の風況観測装置。
【請求項４】
前記回転杭を複数配置してこの装置の基礎を構成する上で、前記回転杭の位置に対応して配置した複数の前記ゲージプレートを支持するテンプレートを具備することを特徴とする請求項２に記載の風況観測装置。
【請求項５】
前記テンプレートは、正方形または三角形の枠体を有する請求項４に記載の風況観測装置。
【請求項６】
前記回転杭に遊嵌される第１の孔と前記第１プレートの丸孔に対応する第２の孔とを有し、前記第１プレートに前記第２プレートを介して対向配置され、前記第１プレートと互いの孔を通じてボルト締結されるリング状の杭偏心吸収部材を具備することを特徴とする請求項１に記載の風況観測装置。
【請求項７】
風況観測用の機器を高所に設置して風況を観測する風況観測装置の製造方法であって、
地面の打設位置に配置した回転杭を、前記回転杭の上端に設けた第２プレートの高さが所定の高さになるように地中にねじ込む杭打ステップと、
前記回転杭の前記第２プレートの上に対向配置する上部の第１プレートに形成された丸孔と第２プレートに形成された長孔とが重なるように前記第２プレートの上に前記第１プレートを対向配置する配置ステップと、
前記丸孔と前記長孔とが重なる部位をボルト締結するステップと、
前記第１プレートの上部に鋼材を連結して塔を組み上げるステップとを有し、
前記杭打ステップが、
前記回転杭の前記第２プレートに形成された長孔と前記第１プレートの前記丸孔とが重なる範囲で前記回転杭を回転させて高さを微調整するステップを有する風況観測装置の製造方法。
【請求項８】
風況観測用の機器を高所に設置して風況を観測する風況観測装置の製造方法であって、
地面の打設位置に配置した回転杭を、前記回転杭の上端に設けた第２プレートの高さが所定の高さになるように地中にねじ込む杭打ステップと、
前記回転杭の前記第２プレートの上に、上部の第１プレートの丸孔に対応する基準孔が設けられたテンプレートの一部を配置するステップと、
前記テンプレートの一部の上に前記第１プレートを配置し、前記丸孔と前記基準孔と前記第２プレートに形成された長孔とが重なる部位をボルト締結するステップと、
前記第１プレートの上部に鋼材を連結して塔を組み上げるステップとを有し、
前記杭打ステップが、
前記回転杭の前記第２プレートに形成された長孔と前記第１プレートの前記丸孔と前記テンプレートの前記基準孔とが重なる範囲で前記回転杭を回転させて高さを微調整するステップを有する風況観測装置の製造方法。
【請求項９】
前記回転杭を複数配置してこの装置の基礎を構成する上で、地面に前記テンプレートを配置するステップと、
前記地面に配置した前記テンプレートの基準孔を用いて、前記回転杭のねじ込み位置を前記地面にマーキングするステップと
前記テンプレートを撤去して、マーキングしたねじ込み位置に前記回転杭を配置するステップと
を有することを特徴とする請求項７または請求項８に記載の風況観測装置の製造方法。
【発明の詳細な説明】
【技術分野】
【０００１】
本発明は、風況観測装置及び風況観測装置の製造方法に関する。
【背景技術】
【０００２】
近年、石油に代わるエネルギー資源の確保のため、例えば風力、太陽光、地熱、バイオなどを利用した再生可能エネルギーの開発が急ピッチで進められている。
【０００３】
この中で、風力発電は、気象条件の変動が発電に大きく影響するため、発電施設を建設する上で、風況の事前観測が数年程度必要になる。
【０００４】
風況観測用の風向計や風力計などの計器は、実際の風車とほぼ同じ位置に設置することから、高いものでは、５０メートル以上の高さの観測柱（以下「マスト」と称す）を建設することになる。
【０００５】
従来、マストを建設するための基礎工事は、１．５ｍ程度掘削し鉄板の基礎台座を設けた上で、基礎台座に垂直に１本のマストを立て埋設し、マストの３方向または４方向に支線アンカーを設置した上でマストとの間にステーやワイヤーなどの支線を張って補強することが行われる。自立式の場合は、コンクリ−ト基礎にて行う。
【先行技術文献】
【特許文献】
【０００６】
【特許文献１】特開２００９−１５６５７５号公報
【発明の概要】
【発明が解決しようとする課題】
【０００７】
従来の場合、マストの３方向または４方向に支線を張ることから、マストと同程度の長さの区域（区画）を、風況観測用の用地として確保する必要があり、用地を例えば賃貸する場合などでは、数年程度の観測とはいえ、用地の広さに応じた額の賃貸料がかかることになるため、その分のコストがかかることになる。
【０００８】
自立式を建設する場合は、建設及び撤去を考慮すると、コンクリートを用いずに、容易に撤去できるような基礎やその上に立つ構造物が望ましい。
【０００９】
本発明はこのような課題を解決するためになされたもので、施設の設置に必要な用地確保及び維持のためのコストを低減するとともに、コンクリートを用いずに施設の施工および撤去を容易にできる風況観測装置及び風況観測装置の製造方法を提供することにある。
【課題を解決するための手段】
【００１０】
本発明の風況観測装置は、風況観測用の機器を高所に設置して風況を観測する風況観測装置であって、地面の打設位置から地中にねじ込まれる回転杭と、前記回転杭の中心軸と同心の第１中心を有し、前記第１中心から等距離の位置にボルト締結用の丸孔が形成され、上部に複数の鋼材を連結して塔を組み上げるための第１プレートと、前記回転杭の上端に、前記第１プレートに対向するように設けられ、前記第１中心と同心の第２中心を有し、前記第１中心から前記丸孔までの距離とほぼ等しい前記第２中心からの距離に長孔が前記丸孔よりも広くかつ前記回転杭の回転方向に長く形成された第２プレートとを備える。
【００１１】
本発明の風況観測装置の製造方法は、風況観測用の機器を高所に設置して風況を観測する風況観測装置の製造方法であって、地面の打設位置に配置した回転杭を、前記回転杭の上端に設けた第２プレートの高さが所定の高さになるように地中にねじ込む杭打ステップと、前記回転杭の前記第２プレートの上に対向配置する上部の第１プレートに形成された丸孔と第２プレートに形成された長孔とが重なるように前記第２プレートの上に前記第１プレートを対向配置する配置ステップと、前記丸孔と前記長孔とが重なる部位をボルト締結するステップと、前記第１プレートの上部に鋼材を連結して塔を組み上げるステップとを有し、前記杭打ステップが、前記回転杭の前記第２プレートに形成された長孔と前記第１プレートの前記丸孔とが重なる範囲で前記回転杭を回転させて高さを微調整するステップを有する。
【発明の効果】
【００１２】
本発明によれば、施設の設置に必要な用地確保及び維持のためのコストを低減するとともに、コンクリートを用いずに施設の施工および撤去を容易にできる。
【図面の簡単な説明】
【００１３】
【図１】一つの実施の形態の風況観測用の鉄塔の概要構成を示す図である。
【図２】鉄塔に設置される風向計を示す図である。
【図３】鉄塔に設置される風速計を示す図である。
【図４】鉄塔の基礎部とその上の塔部の一部（上部構造物）を示す部分拡大図である。
【図５】基礎部の詳細構成を示す図である。
【図６】上部構造物側のプレートを示す平面図である。
【図７】基礎部側の杭プレートを示す平面図である。
【図８】杭偏心吸収リングを示す平面図である。
【図９】基礎部のテンプレートを示す平面図である。
【発明を実施するための形態】
【００１４】
以下、図面を参照して本発明の一つの実施の形態を詳細に説明する。図１は本発明の風況観測装置としての一つの実施の形態の風況観測用の鉄塔の構成を示す図である。
【００１５】
図１に示すように、この実施の形態の風況観測用の鉄塔１は、風況観測用の機器を高所に設置して風況を観測する風況観測装置であり、基礎などの下部構造物、塔部１２及び計器設置部１３などの上部構造物を備え、地面から塔先端部までの高さが約６０メートル程度のものである。
【００１６】
この鉄塔１の場合、例えば４メートル四方（面積約１６平方メートル）のエリアに、スクリュー杭１１（回転杭）を複数配置（この例ではスクリュー杭１１を４本配置）してこの装置の基礎を構成する。つまり鉄塔据付範囲に４本のスクリュー杭１１を基礎として打ち込み、この４本のスクリュー杭１１で上部構造物である塔部１２及び計器設置部１３を支持する構造である。
【００１７】
塔部１２は、基礎としてのスクリュー杭１１の上に鋼材を組み合わせて上方に組み上げられるものであり、Ｌ形鋼やＣ形鋼などの溝形鋼材や山形・鋼管鋼材を組み合わせて端部どうしをボルト締結し結合したものである。
【００１８】
鋼材の端部の結合の仕方としては、鋼材に設けた孔に直接ボルト締結する場合や端部に設けたフランジを介してボルト締結する場合がある。
【００１９】
計器設置部１３は、塔部１２の上に垂直方向の支持ポール１４を立てて、支持ポール１４の計測対象の高さの位置に水平方向のポール１５を設けて、このポール１５の両端に風況を計測する機器として、例えば図２に示すような風向計１６や図３に示すような風速計１７を取り付けたものである。
【００２０】
すなわち、この鉄塔１は、５０メートル以上の高所に設置した風況観測用の機器（風向計１６および／または風速計１７）により風況を観測するためのものである。風況とは風の状況（時間ごとの風向き、風速の変化）をいう。
【００２１】
図４、図５に示すように、スクリュー杭１１は、杭本体１１ａと、この杭本体１１ａの上端（頭部）に設けられた第２プレートとしての杭プレート１１ｂと、杭本体１１ａの下端に設けられたスクリュー１１ｃとを備える。
【００２２】
複数のスクリュー杭１１は、それぞれ地面にマーキングした上で、地面のマーキングポイントから地中にねじ込まれる。なお頭部の杭プレート１１ｂは地上に露出される。
【００２３】
杭本体１１ａは、円筒状の鋼管であり、全長が例えば６．５メートル程度のものである。
杭プレート１１ｂは、例えば直径５８０ｍｍ、厚さ３２ｍｍの円板状の平板鋼材であり、上部構造物側の第１プレート２１（以下「上部プレート２１」と称す）（図６参照）に対向するように設けられる。
【００２４】
杭本体１１ａには、予め杭偏心吸収リング５０が遊嵌されている。杭偏心吸収リング５0は中央部に杭本体１１ａの外形よりも広い孔５２（図８参照）が設けられたドーナツ形状の平板鋼材である。杭偏心吸収リング５０は上部プレート２１との間に杭プレート１１ｂおよびテンプレート３０を挟持してボルト締結している。ボルト締結とは、ボルト２７とナット２８、またはボルト２７とワッシャーとナット２８で、間に挟んだ部材を締め付けて固定することをいう。テンプレート３０については杭プレ−ト１１ｂと上部プレ−ト21を正確に据え付け固定するために必ず挟み込まなければならない。
【００２５】
上部プレート２１には、上面から見て十字状となる連結材２２が設けられている。
【００２６】
連結材２２には、山形鋼の主柱材２３が、その一部が重ねられて上方に配置され、対応位置に設けられた孔２５でボルト締結されている。また連結材２２には、斜材２４が、その一部が重ねられて斜め方向に配置され、対応位置に設けられた孔２６でボルト締結されている。
【００２７】
上部プレート２１と杭プレート１１ｂとの間にはテンプレート３０の一部（四隅）（図９参照）のゲージプレート３３が介挿されている。ゲージプレート３３は、厚みが１２ｍｍの矩形の平板鋼材である。
【００２８】
ゲージプレート３３には、上部プレート２１の第１中心Ｐ１（図６参照）に対応する位置に第１基準孔３４が形成されている。またゲージプレート３３には、上部プレート２１の丸孔４３に対応する位置に第２基準孔３５が形成されている。第１基準孔３４および第２基準孔３５は共に丸穴である。第２基準孔３５と丸孔４３は同径である。
【００２９】
テンプレート３０は、スクリュー杭１１の位置（四角）に対応して配置した複数のゲージプレート３３を支持するように形成された枠体３１（図９参照）を有しており、第１及び第２の２つの役目（機能）がある。
【００３０】
第１の役目は、後に組み付ける上部プレート２１の中心位置（第１中心Ｐ１の位置）を地面に正確にマーキングするための役目（機能）である。第２の役目は、スクリュー杭１１の杭打ち作業をする際に、後で組み付ける上部プレート２１の丸孔４３の位置に対して杭プレート１１ｂの長孔１１ｆを回転方向にずらせる範囲でスクリュー杭１１のねじ込み量を変えて位置合わせしつつ、上端の杭プレート１１ｂの高さを微調整するための役目（機能）である。
【００３１】
図６に示すように、上部プレート２１は、スクリュー杭１１の中心軸と同心の第１中心Ｐ１を有しており、この第１中心Ｐ１から等距離Ｓ１の位置にボルト締結用の複数の丸孔４３が一定の間隔で形成されている。丸孔４３の直径は２６ｍｍである。この上部プレート２１は、上部に複数の鋼材（主柱材２３、斜材２４など）を連結して上部構造物である塔（塔部１２及び計器設置部１３など）を組み上げるための基板となるものである。
【００３２】
図７に示すように、基礎側の杭プレート１１ｂは、上部プレート２１の第１中心Ｐ１と同心の第２中心Ｐ２を有している。
【００３３】
杭プレート１１ｂには、上部プレート２１の第１中心Ｐ１から丸孔４３までの距離Ｓ１とほぼ等しい第２中心Ｐ２からの距離Ｓ２に、長孔１１ｆが、丸孔４３よりも広くかつ杭本体１１ａの回転方向に長く形成されている。距離Ｓ１は第１中心Ｐ１から丸孔４３の中心までの距離である。
【００３４】
長孔１１ｆは、スクリュー杭１１の中心より±１５ｍｍ（３０ｍｍの範囲）の偏心に対応できるように、回転方向の長さＴ１（距離）と短手方向の幅Ｔ２とを丸孔４３の径よりも広く形成されている。
【００３５】
この例では、丸孔４３の直径が２６ｍｍに対して、長孔１１ｆの回転方向の長さＴ１は中心Ｐ２から２０°の範囲の、中心Ｐ２から距離Ｓ２における幅Ｔ１とし、短手方向の幅Ｔ２は５６ｍｍ（丸孔４３の直径の２倍を超える幅）としている。回転方向の長さＴ１は幅Ｔ２と同径の円が２０°の範囲で動く距離とする。
【００３６】
図８に示すように、杭偏心吸収リング５０には、上部プレート２１の丸孔４３（図６参照）に対応する位置に丸穴５２が設けられている。この杭偏心吸収リング５０は、スクリュー杭１１に遊嵌される孔５１（第１の孔）と上部プレート２１の丸孔４３に対応する丸孔５２（第２の孔）とを有する。この杭偏心吸収リング５０は、上部プレート２１に少なくとも杭プレート１１ｂを介在させて対向配置されて、上部プレート２１と互いの孔（丸孔４３及び丸孔５２）を通じてボルト締結されるリング状の杭偏心吸収部材である。
【００３７】
図９に示すように、テンプレート３０は、スクリュー杭１１を据付場所（この例では約５メートル四方のスペース）に複数配置してこの装置の基礎を構成する上で、スクリュー杭を複数配置する範囲を含む幅（図に向かって左右両端、上下両端でも同じ）のゲージプレート３３間の中心どうしの距離が例えば４１６６ｍｍ）になるようにゲージプレート３３を四角で支持する矩形（この例は正方形）の枠体３１である。枠体３１は斜材３２により支持されている。枠体３１の外形（形状）は、この例のような正方形に限らず例えば長方形および三角形などであってもよい。
【００３８】
このテンプレート３０には、後で組み付ける上部プレート２１の第１中心Ｐ１と対応する位置にゲージプレート３３の第１基準孔３４が形成されており、各丸孔４３に対応する位置にゲージプレート３３の第２基準孔３５が形成されている。
【００３９】
以下、この実施の形態の風況観測用の鉄塔の製造方法を説明する。
この実施の形態の鉄塔の場合、スクリュー杭１１を複数配置してこの装置の基礎部（基礎）を構成する上で、まずは、据付場所の地面にテンプレート３０を配置する。テンプレート３０はクレーン車などの重機で位置調整しながら４本のスクリュー杭１１のねじ込み位置にセットするものとする。
【００４０】
続いて、地面に配置したテンプレート３０の第１基準孔３４を用いて、スクリュー杭１１のねじ込み位置を地面にマーキングする。マーキングは、第１基準孔３４よりも細い棒状鋼材、例えば鉄筋などを第１基準孔３４に通して真下の地面に突き刺すことで行う。
【００４１】
マーキング後、テンプレート３０を一旦据付場所から撤去し、これと入れ替えに小型の杭打ち機を据付場所に移動して、鉄筋でマーキングしたねじ込み位置（地面の打設位置）に工場にて杭本体１１ａに杭偏心吸収リング５０がすでに挿着されたスクリュー杭１１を配置する。小型の杭打ち機はキャタピラ式の自走車両であり、整地された道がない丘陵地などに入ることができる。
【００４２】
杭打ち機を操作して、地面に配置したスクリュー杭１１を１本ずつ、スクリュー杭１１の上端に設けた杭プレート１１ｂの高さが施工寸法上の所定の高さ（他のスクリュー杭１１の杭プレート１１ｂも同じ高さ）になるように地中にねじ込む。この工程を杭打ステップと称す。
【００４３】
なお、スクリュー杭１１は、杭本体１１ａすべてを地中に埋没させるのではなく、地上に数十センチメートルから数メートル程度露出させた状態にする。
【００４４】
この杭打ステップでは、スクリュー杭１１の杭プレート１１ｂに形成された長孔１１ｆと上部プレート２１の丸孔４３とテンプレート３０の第２基準孔３５とが重なる範囲でスクリュー杭１１をゆっくりと回転させてスクリュー杭１１の杭プレート１１ｂの高さを微調整する。
【００４５】
このようにして高さ調整した４本のスクリュー杭１１の打ち込みを終えた後、撤去しておいたテンプレート３０を据付位置に再度移動し、４本のスクリュー杭１１の杭プレート１１ｂの上に配置する。
【００４６】
ここで、テンプレート３０の複数の第２基準孔３５の位置と杭プレート１１ｂの複数の長孔１１ｆとの位置関係（重なり具合）を確認する。ここでの確認はすべての長孔１１ｆの内側にすべての第２基準孔３５が入っているか否かと高さの確認である。なお、第２基準孔３５が長孔１１ｆの内側に入っていない場合は、上記の杭打工程に戻り、杭打ち機による高さ調整を行う。
【００４７】
第２基準孔３５と長孔１１ｆとの位置関係を確認した後、テンプレート３０の一部（四角）のゲージプレート３３の上に上部プレート２１を配置し、上部プレート２１の丸孔４３とゲージプレート３３の第２基準孔３５と杭プレート１１ｂに形成された長孔１１ｆと杭偏心吸収リング５０の丸孔５２とが重なる部位をボルト締結する。
【００４８】
ボルト締結後、上部プレート２１の上部に鋼材（主柱材２３、斜材２４など）を連結して上部構造物である塔（塔部１２及び計器設置部１３など）を組み上げる。
【００４９】
（効果）
このようにこの実施の形態の風況観測用の鉄塔１によれば、スクリュー杭１１の中心軸と同心の第１中心Ｐ１を有しこの第１中心Ｐ１から等距離Ｓ１の位置に複数の丸孔４３を形成した上部プレート２１と、スクリュー杭１１の上端に設けられ、上部プレート２１の第１中心Ｐ１と同心の第２中心Ｐ２を有しこの第２中心Ｐ２からの距離Ｓ１と等距離Ｓ２の位置に長孔１１ｆが丸孔４３よりもスクリュー杭１１の回転方向に長く形成された杭プレート１１ｂとを備えることで、以下のような効果がある。
【００５０】
スクリュー杭１１をねじ込んでゆく中で、杭プレート１１ｂの高さを一定の高さにする際に、上部プレート２１の丸孔４３の位置とわずかにずれが生じることがあるが、杭プレート１１ｂ側の孔を長孔１１ｆとすることで、回転方向に微調整が効くようになり、スクリュー杭１１に、向きが一定の上部プレート２１を固定することができる。
【００５１】
また、長孔１１ｆの短手方向の幅Ｔ２についても丸孔４３の径（２６ｍｍ）の２倍以上の広さ（５６ｍｍ）にすることで、スクリュー杭１１の中心より±１５ｍｍ（３０ｍｍの範囲）程度の偏心についても許容することができる。
【００５２】
さらに、支線で支持するマスト方式から自立式の鉄塔１とすることで、従来のマスト方式に比べて据付場所のスペースを大幅に減らすことができる。この実施形態の例では、６０メートルの鉄塔１に対して２５平方メートル（５メートル×５メートル）程度の用地を確保すればよいため、風況観測用の施設を設置するのに必要な用地を狭くできる。例えば用地を賃貸する場合は、賃貸料などの経費を大幅に削減できる。また支線アンカーの設置や支線の取り付けなどの作業が不要になる。
【００５３】
基礎部にスクリュー杭１１を用いることでコンクリートの打設工事を不要としミキサー車などの車両が入れないような地形の場所にも自立式鉄塔１を設置することができる。
【００５４】
また、スクリュー杭１１は、風況観測終了後に杭打ち機での逆回転操作で容易に撤去でき、また、その後は、再利用が可能であり、部材のリサイクル活用という面でも有効である。
【００５５】
さらに、テンプレート３０を、スクリュー杭１１のねじ込み位置のマーキング用として利用することで、スクリュー杭１１の打ち込み位置の精度を向上することができる。
【００５６】
また、スクリュー杭１１を打ち込み後に、テンプレート３０を介在させて、上部プレート２１を載置することで、塔部１２を組み上げる前に位置の確認ができ、またテンプレート３０を鉄塔構造物の一部として利用することで、補強効果も上がり有効に活用できる。さらに、テンプレート３０の枠体３１に水準器を置くことで、スクリュー杭１１の変位を容易に確認でき、保守時の省力化となる。
【００５７】
すなわち、本発明によれば、施設の設置に必要な用地を小さくすることで、用地確保及び維持のためのコスト（賃貸ではランニングコストなど）を低減するとともに、基礎にコンクリートを用いずに据付強度や据付精度を高く維持しつつ施設の据付および撤去を容易にできる。
【００５８】
本発明の実施の形態を説明したが、この実施の形態は、例として示したものであり、この他の様々な形態で実施が可能であり、発明の要旨を逸脱しない範囲で、構成要素の省略、置き換え、変更を行うことができる。
【００５９】
上記実施形態では、基礎部にスクリュー杭１１を用いたが、港への風力発電設備の設置計画がある場合、スクリュー杭１１をアンカーボルトに置換することにより、防波堤への風況観測装置（風況柱）の設置に利用できる。
【００６０】
上記実施形態では、テンプレート３０を鉄塔構造物の一部として利用したが、テンプレート３０を、ねじ込み位置マーキング用の治具として利用するだけで鉄塔構造物の一部として利用しないケースも考えられる。この場合、鉄塔１の製造方法は、ねじ込み位置マーキング後、テンプレート３０を除いた状態で、上部プレート２１の丸孔４３と杭プレート１１ｂの長穴１１ｆが重なるようにスクリュー杭１１の杭プレート１１ｂと上部プレート２１とを対向配置して、上部プレート２１の丸孔４３と杭プレート１１ｂの長穴１１ｆと杭偏心吸収リング５０の丸孔５２とが重なる部位をボルト締結する。ボルト締結後の手順は上記実施形態で説明した内容と同じである。
【００６１】
また、上記実施形態では、テンプレート３０を鉄塔構造物の一部として利用したが、テンプレート３０をアンカーボルトの打設位置確認治具として利用してもよい。
【００６２】
この場合、鉄塔１の製造方法は、テンプレート３０を鉄塔建設予定位置にセットし、丸孔３５の直下の地面の打設位置にペイントマーキングする。その後、その位置からテンプレート３０を撤去して、マ−キングした地面の打設位置にアンカーボルトを打設する。打設したアンカーボルトに上部プレート２１に形成された丸孔４３を挿入して上部プレ−ト２１の上からナット締めなどを行ってアンカーボルトに上部プレート２１を固定する。
【符号の説明】
【００６３】
１…鉄塔
１１…スクリュー杭
１１ａ…杭本体
１１ｂ…杭プレート
１１ｃ…スクリュー
１１ｆ…長孔
１２…塔部
１３…計器設置部
１４…支持ポール
１５…水平ポール
１６…風向計
１７…風速計
２１…上部プレート
２２…連結材
２３…主柱材
２４…斜材
２５、２６、５１…孔
２７…杭プレ−ト１１ｂと上部プレ−ト２１とを連結するボルト
３０…テンプレート
３１…枠体
３２…斜材
３３…ゲージプレート
３４…第１基準孔
３５…第２基準孔
４３、５２…丸孔
５０…杭偏心吸収リング
【図１】
2018111957.tif 000003
【図２】
2018111957.tif 000004
【図３】
2018111957.tif 000005
【図４】
2018111957.tif 000006
【図５】
2018111957.tif 000007
【図６】
2018111957.tif 000008
【図７】
2018111957.tif 000009
【図８】
2018111957.tif 000010
【図９】
2018111957.tif 000011
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
風況観測用の機器を高所に設置して風況を観測する風況観測装置であって、
地面の打設位置から地中にねじ込まれる回転杭と、
前記回転杭の中心軸と同心の第１中心を有し、前記第１中心から等距離の位置にボルト締結用の丸孔が形成され、上部に複数の鋼材を連結して塔を組み上げるための第１プレートと、
前記回転杭の上端に、前記第１プレートに対向するように設けられ、前記第１中心と同心の第２中心を有し、前記第１中心から前記丸孔までの距離とほぼ等しい前記第２中心からの距離に長孔が前記丸孔よりも広くかつ前記回転杭の回転方向に長く形成された第２プレートと、
前記第１プレートと前記第２プレートとの間に介挿され、前記第１プレートの前記第１中心に対応する位置に第１基準孔が形成され、前記丸孔に対応する位置に第２基準孔が形成されたゲージプレートと、
前記回転杭を複数配置してこの装置の基礎を構成する上で、前記回転杭の位置に対応して配置した複数の前記ゲージプレートを支持するテンプレートと
を具備することを特徴とする風況観測装置。
【請求項２】
前記長孔の短手方向の幅が、前記丸孔の直径よりも広く形成されている請求項１記載の風況観測装置。
【請求項３】
前記テンプレートは、正方形または三角形の枠体を有する請求項１に記載の風況観測装置。
【請求項４】
風況観測用の機器を高所に設置して風況を観測する風況観測装置であって、
地面の打設位置から地中にねじ込まれる回転杭と、
前記回転杭の中心軸と同心の第１中心を有し、前記第１中心から等距離の位置にボルト締結用の丸孔が形成され、上部に複数の鋼材を連結して塔を組み上げるための第１プレートと、
前記回転杭の上端に、前記第１プレートに対向するように設けられ、前記第１中心と同心の第２中心を有し、前記第１中心から前記丸孔までの距離とほぼ等しい前記第２中心からの距離に長孔が前記丸孔よりも広くかつ前記回転杭の回転方向に長く形成された第２プレートと、
前記回転杭に遊嵌される第１の孔と前記第１プレートの丸孔に対応する第２の孔とを有し、前記第１プレートに前記第２プレートを介して対向配置され、前記第１プレートと互いの孔を通じてボルト締結されるリング状の杭偏心吸収部材と
を具備することを特徴とする風況観測装置。
【請求項５】
風況観測用の機器を高所に設置して風況を観測する風況観測装置の製造方法であって、
地面の打設位置に配置した回転杭を、前記回転杭の上端に設けた第２プレートの高さが所定の高さになるように地中にねじ込む杭打ステップと、
前記回転杭の前記第２プレートの上に、上部の第１プレートの丸孔に対応する基準孔が設けられたテンプレートの一部を配置するステップと、
前記テンプレートの一部の上に前記第１プレートを配置し、前記丸孔と前記基準孔と前記第２プレートに形成された長孔とが重なる部位をボルト締結するステップと、
前記第１プレートの上部に鋼材を連結して塔を組み上げるステップとを有し、
前記杭打ステップが、
前記回転杭の前記第２プレートに形成された長孔と前記第１プレートの前記丸孔と前記テンプレートの前記基準孔とが重なる範囲で前記回転杭を回転させて高さを微調整するステップを有する風況観測装置の製造方法。
【請求項６】
前記回転杭を複数配置してこの装置の基礎を構成する上で、地面に前記テンプレートを配置するステップと、
前記地面に配置した前記テンプレートの基準孔を用いて、前記回転杭のねじ込み位置を前記地面にマーキングするステップと
前記テンプレートを撤去して、マーキングしたねじ込み位置に前記回転杭を配置するステップと
を有することを特徴とする請求項５に記載の風況観測装置の製造方法。
【手続補正２】
【補正対象書類名】明細書
【補正対象項目名】００１０
【補正方法】変更
【補正の内容】
【００１０】
本発明の風況観測装置は、風況観測用の機器を高所に設置して風況を観測する風況観測装置であって、地面の打設位置から地中にねじ込まれる回転杭と、前記回転杭の中心軸と同心の第１中心を有し、前記第１中心から等距離の位置にボルト締結用の丸孔が形成され、上部に複数の鋼材を連結して塔を組み上げるための第１プレートと、前記回転杭の上端に、前記第１プレートに対向するように設けられ、前記第１中心と同心の第２中心を有し、前記第１中心から前記丸孔までの距離とほぼ等しい前記第２中心からの距離に長孔が前記丸孔よりも広くかつ前記回転杭の回転方向に長く形成された第２プレートと、前記第１プレートと前記第２プレートとの間に介挿され、前記第１プレートの前記第１中心に対応する位置に第１基準孔が形成され、前記丸孔に対応する位置に第２基準孔が形成されたゲージプレートと、前記回転杭を複数配置してこの装置の基礎を構成する上で、前記回転杭の位置に対応して配置した複数の前記ゲージプレートを支持するテンプレートとを備える。